(57)【要約】【課題】天井部の切妻を伝わり流れ落ちる結露水が側壁からの流出を防止することができるオープントップコンテナの天蓋装置を提供する。【解決手段】切妻屋根型ソフトトップの内側に垂れ膜による水切りインナーをソフトトップ開閉方向に沿って設けた。【選択図】図１
2018047931.tif 000002
【特許請求の範囲】
【請求項１】
切妻屋根型ソフトトップの内側に垂れ膜による水切りインナーをソフトトップ開閉方向に沿って設けたことを特徴とするオープントップコンテナの天蓋装置。
【請求項２】
水切りインナーは上端に重ね代を形成し、切妻屋根型ソフトトップの内側に貼着する請求項１記載のオープントップコンテナの天蓋装置。
【請求項３】
水切りインナーはソフトトップと同じ材質であるタ一ポリンで形成し、ソフトトップの折り畳みとともに折り畳み可能とする請求項１または請求項２記載のオープントップコンテナの天蓋装置。
【発明の詳細な説明】
【技術分野】
【０００１】
本発明は、オープントップコンテナの天蓋装置に関するものである。
【背景技術】
【０００２】
海上輸送目的としたＩＳＯ基準２０フィートコンテナでオープントップ型ドライコンテナのうち、上部開放部分をターポリン等で電動・手動で開閉できるソフトトップを備えるドライコンテナがある。
【０００３】
下記特許文献１のコンテナもその１つであり、図９から図１２に示すように、フロアーアッセンプリ１の両側にはサイドパネル２を設け、その一端にはフロントエンドパネル３を設け、他端にはリアーエンドパネル４を設けて、それらの上方にルーフパネルが設けられていないオープントップコンテナタイプである。
【先行技術文献】
【特許文献】
【０００４】
【特許文献１】実開昭６３−３２１９５号公報
【０００５】
そして、サイドパネル２上部に設けたトップサイドレール５に適数のルーフポウ６をスライド自在に係合させた。
【０００６】
トップサイドレール５の上方に外方を開口した中空のガイドレール７を設け、前記ルーフポウ６の下端に設けたローラ８を該ガイドレール７に係合させてルーフポウ６をスライド自在とする。
【０００７】
ルーフボウ６はそれぞれが倒れたりすることなく、しかも等聞隔を保ってスライドする。
【０００８】
前記の下端にローラ８を有するル一フボウ６間に、両側からリンク９により支持される上下動自在の可動ルーフボウ１０を設け、その上面にソフトトップであるターポリン１１を張設した。
【０００９】
なお、該ターポリン１１はそれを広げた位置において適宜方法でそれぞれルーフボウ６及び可動ルーフボウ１０に固定され、さらに周縁がコンテナの外周に乖下する大きさである。
【００１０】
図中１２は軸着ピン、１３はターポリン固定用のロ一プ、１４はロープフックである。
【００１１】
フロントエンドドパネル３の一側にコ一ナーポスト１６からヒンジ１７を介して開閉扉１５を設け、さらにその外側面にロッキングバー１８を上下動自在に設け、その上下端に設けたカム１９はコンテナ本体側に設けたカムキーパー２０と係合自在とする。図中２１はロッキングハンドルである。
【００１２】
リアーエンドパネル４の略下半部に下端開閉扉２２を設け、該下端開閉扉２２は、その上端がヒンジ２３でコンテナ本体側に止着し、さらにその外側面に横方向ロッキングバー２４を設け、その両端に設けたカム２５をコンテナ本体側に設けたカムキーパー２６と係合自在とした。図中２７はロッキングハンドルである。
【００１３】
粉粒体の積込み時にはルーフボウ６及び可動ルーフボウ１０がスライドさせてルーフ部の一端に集める。
【００１４】
その結果、その上面に張設されたタ一ポリン１１も同様に折畳まれ、ルーフ部が開放され、上方からの粉粒体の投入が可能となる。
【００１５】
そして、積込み完了後はルーフボウ６及び可動ルーフボウ１０をスライド復帰させればタ一ポリン１１が広げられ、上記開放部が閉塞される。
【００１６】
つぎに、コンテナの外周に垂下されたタ一ポリン１１の周縁をターポリン固定用のロ一プ１３により、固縛して輸送に供する。
【００１７】
到着地においての荷下しはロッキングハンドル２７によりロッキングバー２４を操作し、その両端のカム２５をコンテナ本体側のカムキーパー２６から外し、さらにフロントエンドパネル３側を上方に位置させれば、下端開閉扉２２の下端が粉粒体及び自重により開放され、一括排出することができる。
【００１８】
そして、さらに、使用後の内部点検、内部清掃時には開閉扉１５が開け、そこから作業員は出入りする。
【発明の概要】
【発明が解決しようとする課題】
【００１９】
前記特許文献１のオープントップコンテナではタ一ポリン１１の張設は平坦の平屋根タイプであるが、図７に示すような切妻屋根型ソフトトップの場合ではタ一ポリン１１の張設は山型となる。
【００２０】
粉粒体として一般廃棄物を焼却した主灰を移送する際、コンテナ内部温度と外気の温度差で、コンテナ内部の天井（ソフトトップ）に結露が発生する。
【００２１】
前記のごとく、ターポリンはそれを広げた位置において周縁がコンテナの外周に乖下する大きさであり、切妻屋根型ソフトトップの場合、コンテナ天井は構造上切妻になっており結露がこの傾斜を伝わり、コンテナ側面に流れ出す可能性がある。
【００２２】
本来、結露水は蒸留水のため、中性であるが、コンテナ内部は焼却灰が飛散しコンテナ内面に付着しており、水と接触すると水酸化物イオンを生成して、アルカリ性を示す傾向にあるため、コンテナ外部に流出させないことが望ましい。
【００２３】
本発明の目的は前記事情に鑑み、天井部の切妻を伝わり流れ落ちる結露水がコンテナ側壁外側へ流出するのを防止できるオープントップコンテナの天蓋装置を提供することにある。
【課題を解決するための手段】
【００２４】
前記目的を達成するため本発明は、第１に、切妻屋根型ソフトトップの内側に垂れ膜による水切りインナーをソフトトップ開閉方向に沿って設けたこと、第２に水切りインナーは上端に重ね代を形成し、切妻屋根型ソフトトップの内側に貼着すること、第３に、水切りインナーはソフトトップと同じ材質であるタ一ポリンで形成し、ソフトトップの折り畳みとともに折り畳み可能とすることを要旨とするものである。
【００２５】
請求項１記載の本発明によれば、コンテナのソフトトップ内側に水切りインナーを取り付けることより、天井部の切妻を伝わり流れ落ちる結露水を側壁に到達する前に、垂れ下げたインナーで下方向に結露水を誘導し、側壁からの流出を防止することができる。
【００２６】
請求項２記載の本発明によれば、水切りインナーをコンテナのソフトトップ内側に取り付けるのに、縫い合わせ、もしくは接着により簡単に設けることができる。
【００２７】
請求項３記載の本発明によれば、前記作用に加えて、水切りインナーはソフトトップと同じ材質であるタ一ポリンで形成したので、ソフトトップの折り畳みとともに折り畳み可能となり、収納に邪魔になることはない。
【発明の効果】
【００２８】
以上述べたように本発明のオープントップコンテナの天蓋装置は、天井部の切妻を伝わり流れ落ちる結露水が側壁からの流出を防止することができものである。
【図面の簡単な説明】
【００２９】
【図１】本発明のオープントップコンテナの天蓋装置の１実施形態を示す縦断正面図である。
【図２】本発明のオープントップコンテナの天蓋装置の１実施形態を示す部分縦断正面図である。
【図３】本発明で使用するコンテナの天蓋装置を閉じた状態の側面図である。
【図４】本発明で使用するコンテナの斜視図である。
【図５】本発明で使用するコンテナのオープントップコンテナのタ―ポリンを省略した状態の側面図である。
【図６】本発明で使用するコンテナの正面図である。
【図７】従来の切妻屋根型ソフトトップの場合の説明図である。
【図８】本発明による切妻屋根型ソフトトップの場合の説明図である。
【図９】従来例を示す正面図である。
【図１０】従来例を示す左側面図である。
【図１１】従来例を示す右側面図である。
【図１２】従来例を示す要部の縦断側面図である。
【発明を実施するための形態】
【００３０】
以下、図面について本発明の実施の形態を詳細に説明する。図１は本発明のオープントップコンテナの天蓋装置の１実施形態を示す縦断正面図、図２は同部分縦断正面図である。
【００３１】
先にコンテナ全体を説明すると、図３〜図６に示すように、４隅に４本の支柱３０を立設したフロアーアッセンプリ１の両側にはサイドパネル２を設け、その一端にはフロントエンドパネル３を設け、他端にはリアーエンドパネル４を設けて、それらの上方にルーフパネルが設けられていないオープントップコンテナタイプである。
【００３２】
コンテナの開閉式天蓋３１として、屋根の梁材である可動のルーフボウ３２と天井幌であるターポリン３３とでソフトトップを形成した。
【００３３】
図２、図５に示すように、サイドパネル２上部にトップサイドレール５を設け、前記ルーフボウ３２はこのトップサイドレール５に沿ってスライドするが、Ｌ字形の硬質（ＭＣ）ナイロンによるスライダー３８をルーフボウ３２に設け、このスライダー３８によりルーフボウ３２は滑動する。
【００３４】
また、ルーフボウ３２は間隔を存して複数ならび、ターポリン３３は裏側幅方法に形成する筒部の中にルーフボウ３２を通してルーフボウ３２に結合する。
【００３５】
天蓋３１の開閉は手動であり、開閉機構として、スライダー３８に牽引ワイヤー３５を通し、この牽引ワイヤー３５をガイドローラ３６によりコンテナ下部に設ける操作ハンドル３７に誘導する。
【００３６】
このようにして操作ハンドル３７を回せば、牽引ワイヤー３５によりスライダー３８が動き、これによりルーフボウ３２は相互間隔変化させ、ルーフボウ３２同士を離間させて展開し、また、コンテナ端部に集めて、ターポリン３３の展開もしくな折り畳みが行われる。
【００３７】
コンテナへの粉粒体、例えば焼却灰の投入はタ一ポリン３３を折畳み、ルーフ部を開放して、上方から行う。
【００３８】
そして、積込み完了後はタ一ポリン３３が広げられ、上記開放部が閉塞される。
【００３９】
つぎに、コンテナの外周に垂下されたタ一ポリン３３の周縁をターポリン固定用のロ一プ１３により、固縛して輸送に供する。
【００４０】
到着地においての荷下しは図４に示すようにトラック荷台をチルトさせ、コンテナを傾けてフロントエンドパネル３側を上方に位置させれば、一括排出することができる。
【００４１】
本発明におけるルーフボウ３２は中央部が高くなる山形をなすものである。
【００４２】
ルーフボウ３２に張設されるソフトトップであるターポリン３３も山形に張られ、ソフトトップは切妻屋根型のものとして形成される。
【００４３】
なお、該ターポリン３３はそれを広げた位置において周縁がコンテナの外周に乖下する大きさである。
【００４４】
本発明は前記切妻屋根型ソフトトップの内側に垂れ膜による水切りインナー３４をソフトトップ開閉方向に沿って設けた。
【００４５】
水切りインナー３４もソフトトップを構成するタ一ポリン３３と同じ材質であるタ一ポリン（フィラメント糸（長繊維）にフィルム貼りをしたもの）で形成し、ソフトトップの折り畳みとともに折り畳み可能である。
【００４６】
前記スライダー３８は一部トップサイドレール５より外側に張り出すが、水切りインナー３４はターポリン３３の周縁と間隔を存して平行するように垂下され、スライダー３８はその間に収まる。
【００４７】
水切りインナー３４のターポリン３３への取り付けは、水切りインナー３４の上端に重ね代３４ａを形成し、切妻屋根型ソフトトップの内側に縫い合わせる等で貼着した。
【００４８】
このようにして切妻屋根型ソフトトップが展張された場合には、水切りインナー３４はトップサイドレール５よりコンテナの内側に垂れ下がり、図８の矢印に示すように、展開したソフトトップの内側に付着して流れ落ちる結露水は水切りインナー３４により、コンテナの外周に乖下するエンドを伝わってコンテナ外にでることなく、コンテナ内へ誘導される。
【００４９】
また、ソフトトップを折り畳む場合には、水切りインナー３４はターポリン３３とともに折り畳まれ、邪魔になることはない。
【符号の説明】
【００５０】
１…フロアーアッセンプリ
２…サイドパネル
３…フロントエンドパネル
４…リアーエンドパネル
５…トップサイドレール
６…ルーフボウ
７…ガイドレール
８…ローラ
１０…可動ルーフボウ
１１…ターポリン
１２…軸着ピン
１３…ターポリン固定用のロ一プ
１４…ロープフック
１５…開閉扉
１６…コ一ナーポスト
１７…ヒンジ
１８…ロッキングバー
１９…カム
２０…カムキーパー
２１…ロッキングハンドル
２２…下端開閉扉
２３…ヒンジ
２５…カム
２４…ロッキングバー
２６…カムキーパー
２７…ロッキングハンドル
３０…支柱
３１…天蓋
３２…ルーフボウ
３３…ターポリン
３４…水切りインナー
３４ａ…重ね代
３５…牽引ワイヤー
３６…ガイドローラ
３７…操作ハンドル
３８…スライダー
【図１】
2018047931.tif 000003
【図２】
2018047931.tif 000004
【図３】
2018047931.tif 000005
【図４】
2018047931.tif 000006
【図５】
2018047931.tif 000007
【図６】
2018047931.tif 000008
【図７】
2018047931.tif 000009
【図８】
2018047931.tif 000010
【図９】
2018047931.tif 000011
【図１０】
2018047931.tif 000012
【図１１】
2018047931.tif 000013
【図１２】
2018047931.tif 000014
【手続補正書】
【提出日】平成29年12月5日(2017.12.5)
【手続補正１】
【補正対象書類名】明細書
【補正対象項目名】全文
【補正方法】変更
【補正の内容】
【発明の詳細な説明】
【技術分野】
【０００１】
本発明は、オープントップコンテナの天蓋装置に関するものである。
【背景技術】
【０００２】
海上輸送目的としたＩＳＯ基準２０フィートコンテナでオープントップ型ドライコンテナのうち、上部開放部分をターポリン等で電動・手動で開閉できるソフトトップを備えるドライコンテナがある。
【０００３】
下記特許文献１のコンテナもその１つであり、図９から図１２に示すように、フロアーアッセンプリ１の両側にはサイドパネル２を設け、その一端にはフロントエンドパネル３を設け、他端にはリアーエンドパネル４を設けて、それらの上方にルーフパネルが設けられていないオープントップコンテナタイプである。
【先行技術文献】
【特許文献】
【０００４】
【特許文献１】実開昭６３−３２１９５号公報
【０００５】
そして、サイドパネル２上部に設けたトップサイドレール５に適数のルーフポウ６をスライド自在に係合させた。
【０００６】
トップサイドレール５の上方に外方を開口した中空のガイドレール７を設け、前記ルーフポウ６の下端に設けたローラ８を該ガイドレール７に係合させてルーフポウ６をスライド自在とする。
【０００７】
ルーフボウ６はそれぞれが倒れたりすることなく、しかも等聞隔を保ってスライドする。
【０００８】
前記の下端にローラ８を有するルーフボウ６間に、両側からリンク９により支持される上下動自在の可動ルーフボウ１０を設け、その上面にソフトトップであるターポリン１１を張設した。
【０００９】
なお、該ターポリン１１はそれを広げた位置において適宜方法でそれぞれルーフボウ６及び可動ルーフボウ１０に固定され、さらに周縁がコンテナの外周に乖下する大きさである。
【００１０】
図中１２は軸着ピン、１３はターポリン固定用のロープ、１４はロープフックである。
【００１１】
フロントエンドドパネル３の一側にコーナーポスト１６からヒンジ１７を介して開閉扉１５を設け、さらにその外側面にロッキングバー１８を上下動自在に設け、その上下端に設けたカム１９はコンテナ本体側に設けたカムキーパー２０と係合自在とする。図中２１はロッキングハンドルである。
【００１２】
リアーエンドパネル４の略下半部に下端開閉扉２２を設け、該下端開閉扉２２は、その上端がヒンジ２３でコンテナ本体側に止着し、さらにその外側面に横方向ロッキングバー２４を設け、その両端に設けたカム２５をコンテナ本体側に設けたカムキーパー２６と係合自在とした。図中２７はロッキングハンドルである。
【００１３】
粉粒体の積込み時にはルーフボウ６及び可動ルーフボウ１０がスライドさせてルーフ部の一端に集める。
【００１４】
その結果、その上面に張設されたターポリン１１も同様に折畳まれ、ルーフ部が開放され、上方からの粉粒体の投入が可能となる。
【００１５】
そして、積込み完了後はルーフボウ６及び可動ルーフボウ１０をスライド復帰させればターポリン１１が広げられ、上記開放部が閉塞される。
【００１６】
つぎに、コンテナの外周に垂下されたターポリン１１の周縁をターポリン固定用のロープ１３により、固縛して輸送に供する。
【００１７】
到着地においての荷下しはロッキングハンドル２７によりロッキングバー２４を操作し、その両端のカム２５をコンテナ本体側のカムキーパー２６から外し、さらにフロントエンドパネル３側を上方に位置させれば、下端開閉扉２２の下端が粉粒体及び自重により開放され、一括排出することができる。
【００１８】
そして、さらに、使用後の内部点検、内部清掃時には開閉扉１５が開け、そこから作業員は出入りする。
【発明の概要】
【発明が解決しようとする課題】
【００１９】
前記特許文献１のオープントップコンテナではターポリン１１の張設は平坦の平屋根タイプであるが、図７に示すような切妻屋根型ソフトトップの場合ではターポリン１１の張設は山型となる。
【００２０】
粉粒体として一般廃棄物を焼却した主灰を移送する際、コンテナ内部温度と外気の温度差で、コンテナ内部の天井（ソフトトップ）に結露が発生する。
【００２１】
前記のごとく、ターポリンはそれを広げた位置において周縁がコンテナの外周に乖下する大きさであり、切妻屋根型ソフトトップの場合、コンテナ天井は構造上切妻になっており結露がこの傾斜を伝わり、コンテナ側面に流れ出す可能性がある。
【００２２】
本来、結露水は蒸留水のため、中性であるが、コンテナ内部は焼却灰が飛散しコンテナ内面に付着しており、水と接触すると水酸化物イオンを生成して、アルカリ性を示す傾向にあるため、コンテナ外部に流出させないことが望ましい。
【００２３】
本発明の目的は前記事情に鑑み、天井部の切妻を伝わり流れ落ちる結露水がコンテナ側壁外側へ流出するのを防止できるオープントップコンテナの天蓋装置を提供することにある。
【課題を解決するための手段】
【００２４】
前記目的を達成するため本発明は、第１に、屋根の梁材である可動のルーフボウと天井幌であるターポリンとでソフトトップを形成し、スライダーをルーフボウに設け、このスライダーによりルーフボウが滑動するオープントップコンテナの天蓋装置において、切妻屋根型ソフトトップの内側に垂れ膜による水切りインナーを上端に重ね代を形成し、切妻屋根型ソフトトップの内側に貼着することでソフトトップ開閉方向に沿って設けるが、該水切りインナーはターポリンの周縁と間隔を存して平行するように垂下され、スライダーをその間に収めるようにしたこと、第２に、水切りインナーはソフトトップと同じ材質であるターポリンで形成し、ソフトトップの折り畳みとともに折り畳み可能とすることを要旨とするものである。
【００２５】
請求項１記載の本発明によれば、コンテナのソフトトップ内側に水切りインナーを取り付けることより、天井部の切妻を伝わり流れ落ちる結露水を側壁に到達する前に、垂れ下げたインナーで下方向に結露水を誘導し、側壁からの流出を防止することができる。
【００２６】
また、水切りインナーをコンテナのソフトトップ内側に取り付けるのに、縫い合わせ、もしくは接着により簡単に設けることができる。
【００２７】
請求項２記載の本発明によれば、前記作用に加えて、水切りインナーはソフトトップと同じ材質であるターポリンで形成したので、ソフトトップの折り畳みとともに折り畳み可能となり、収納に邪魔になることはない。
【発明の効果】
【００２８】
以上述べたように本発明のオープントップコンテナの天蓋装置は、天井部の切妻を伝わり流れ落ちる結露水が側壁からの流出を防止することができものである。
【図面の簡単な説明】
【００２９】
【図１】本発明のオープントップコンテナの天蓋装置の１実施形態を示す縦断正面図である。
【図２】本発明のオープントップコンテナの天蓋装置の１実施形態を示す部分縦断正面図である。
【図３】本発明で使用するコンテナの天蓋装置を閉じた状態の側面図である。
【図４】本発明で使用するコンテナの斜視図である。
【図５】本発明で使用するコンテナのオープントップコンテナのタ―ポリンを省略した状態の側面図である。
【図６】本発明で使用するコンテナの正面図である。
【図７】従来の切妻屋根型ソフトトップの場合の説明図である。
【図８】本発明による切妻屋根型ソフトトップの場合の説明図である。
【図９】従来例を示す正面図である。
【図１０】従来例を示す左側面図である。
【図１１】従来例を示す右側面図である。
【図１２】従来例を示す要部の縦断側面図である。
【発明を実施するための形態】
【００３０】
以下、図面について本発明の実施の形態を詳細に説明する。図１は本発明のオープントップコンテナの天蓋装置の１実施形態を示す縦断正面図、図２は同部分縦断正面図である。
【００３１】
先にコンテナ全体を説明すると、図３〜図６に示すように、４隅に４本の支柱３０を立設したフロアーアッセンプリ１の両側にはサイドパネル２を設け、その一端にはフロントエンドパネル３を設け、他端にはリアーエンドパネル４を設けて、それらの上方にルーフパネルが設けられていないオープントップコンテナタイプである。
【００３２】
コンテナの開閉式天蓋３１として、屋根の梁材である可動のルーフボウ３２と天井幌であるターポリン３３とでソフトトップを形成した。
【００３３】
図２、図５に示すように、サイドパネル２上部にトップサイドレール５を設け、前記ルーフボウ３２はこのトップサイドレール５に沿ってスライドするが、Ｌ字形の硬質（ＭＣ）ナイロンによるスライダー３８をルーフボウ３２に設け、このスライダー３８によりルーフボウ３２は滑動する。
【００３４】
また、ルーフボウ３２は間隔を存して複数ならび、ターポリン３３は裏側幅方法に形成する筒部の中にルーフボウ３２を通してルーフボウ３２に結合する。
【００３５】
天蓋３１の開閉は手動であり、開閉機構として、スライダー３８に牽引ワイヤー３５を通し、この牽引ワイヤー３５をガイドローラ３６によりコンテナ下部に設ける操作ハンドル３７に誘導する。
【００３６】
このようにして操作ハンドル３７を回せば、牽引ワイヤー３５によりスライダー３８が動き、これによりルーフボウ３２は相互間隔変化させ、ルーフボウ３２同士を離間させて展開し、また、コンテナ端部に集めて、ターポリン３３の展開もしくは折り畳みが行われる。
【００３７】
コンテナへの粉粒体、例えば焼却灰の投入はターポリン３３を折畳み、ルーフ部を開放して、上方から行う。
【００３８】
そして、積込み完了後はターポリン３３が広げられ、上記開放部が閉塞される。
【００３９】
つぎに、コンテナの外周に垂下されたターポリン３３の周縁をターポリン固定用のロープ１３により、固縛して輸送に供する。
【００４０】
到着地においての荷下しは図４に示すようにトラック荷台をチルトさせ、コンテナを傾けてフロントエンドパネル３側を上方に位置させれば、一括排出することができる。
【００４１】
本発明におけるルーフボウ３２は中央部が高くなる山形をなすものである。
【００４２】
ルーフボウ３２に張設されるソフトトップであるターポリン３３も山形に張られ、ソフトトップは切妻屋根型のものとして形成される。
【００４３】
なお、該ターポリン３３はそれを広げた位置において周縁がコンテナの外周に乖下する大きさである。
【００４４】
本発明は前記切妻屋根型ソフトトップの内側に垂れ膜による水切りインナー３４をソフトトップ開閉方向に沿って設けた。
【００４５】
水切りインナー３４もソフトトップを構成するターポリン３３と同じ材質であるターポリン（フィラメント糸（長繊維）にフィルム貼りをしたもの）で形成し、ソフトトップの折り畳みとともに折り畳み可能である。
【００４６】
前記スライダー３８は一部トップサイドレール５より外側に張り出すが、水切りインナー３４はターポリン３３の周縁と間隔を存して平行するように垂下され、スライダー３８はその間に収まる。
【００４７】
水切りインナー３４のターポリン３３への取り付けは、水切りインナー３４の上端に重ね代３４ａを形成し、切妻屋根型ソフトトップの内側に縫い合わせる等で貼着した。
【００４８】
このようにして切妻屋根型ソフトトップが展張された場合には、水切りインナー３４はトップサイドレール５よりコンテナの内側に垂れ下がり、図８の矢印に示すように、展開したソフトトップの内側に付着して流れ落ちる結露水は水切りインナー３４により、コンテナの外周に乖下するエンドを伝わってコンテナ外にでることなく、コンテナ内へ誘導される。
【００４９】
また、ソフトトップを折り畳む場合には、水切りインナー３４はターポリン３３とともに折り畳まれ、邪魔になることはない。
【符号の説明】
【００５０】
１…フロアーアッセンプリ
２…サイドパネル
３…フロントエンドパネル
４…リアーエンドパネル
５…トップサイドレール
６…ルーフボウ
７…ガイドレール
８…ローラ
１０…可動ルーフボウ
１１…ターポリン
１２…軸着ピン
１３…ターポリン固定用のロープ
１４…ロープフック
１５…開閉扉
１６…コーナーポスト
１７…ヒンジ
１８…ロッキングバー
１９…カム
２０…カムキーパー
２１…ロッキングハンドル
２２…下端開閉扉
２３…ヒンジ
２５…カム
２４…ロッキングバー
２６…カムキーパー
２７…ロッキングハンドル
３０…支柱
３１…天蓋
３２…ルーフボウ
３３…ターポリン
３４…水切りインナー
３４ａ…重ね代
３５…牽引ワイヤー
３６…ガイドローラ
３７…操作ハンドル
３８…スライダー
【手続補正２】
【補正対象書類名】特許請求の範囲
【補正対象項目名】全文
【補正方法】変更
【補正の内容】
【特許請求の範囲】
【請求項１】
屋根の梁材である可動のルーフボウと天井幌であるターポリンとでソフトトップを形成し、スライダーをルーフボウに設け、このスライダーによりルーフボウが滑動するオープントップコンテナの天蓋装置において、切妻屋根型ソフトトップの内側に垂れ膜による水切りインナーを上端に重ね代を形成し、切妻屋根型ソフトトップの内側に貼着することでソフトトップ開閉方向に沿って設けるが、該水切りインナーはターポリンの周縁と間隔を存して平行するように垂下され、スライダーをその間に収めるようにしたことを特徴とするオープントップコンテナの天蓋装置。
【請求項２】
水切りインナーはソフトトップと同じ材質であるターポリンで形成し、ソフトトップの折り畳みとともに折り畳み可能とする請求項１記載のオープントップコンテナの天蓋装置。